(57)【特許請求の範囲】
【請求項１】
記録媒体に磁気的に作用する磁気ヘッドと、
前記磁気ヘッドを一端部に保持し、前記記録媒体が配置される方向に付勢力を有する板バネ部と、
前記板バネ部の他端部に連接される接合部と、
前記記録媒体が配置される方向から前記板バネ部の一端部側を支持する支持部を一端部に有し、他端部の下面が上記接合部の上面側に配設される剛体で構成された支持部材と、
前記記録媒体が配置される方向から前記支持部材に当接し、前記支持部材を前記記録媒体から離間する方向に操作する操作レバーと
を有することを特徴とする磁気ヘッド装置。
【請求項２】
前記支持部材は、前記磁気ヘッドが前記記録媒体から離間した位置にあるときには前記板バネを支持し、
前記磁気ヘッドが前記記録媒体に接触する位置にあるときには前記板バネ部の支持が解除することを特徴とする請求項１記載の磁気ヘッド装置。
【請求項３】
前記磁気ヘッドを電気的に接続する配線と、
前記板バネ部に設けられ、前記配線を下方にたわませる配線保持部とを有することを特徴とする請求項１記載の磁気ヘッド装置。
【請求項４】
前記磁気ヘッドは、先端に設けられ、前記板バネ部に固定する固定部と、
他端に設けられ、前記板バネ部と係合して、前記記録媒体方向への移動を規制する係合部とを有することを特徴とする請求項１記載の磁気ヘッド装置。
【請求項５】
前記板バネ部は、前記磁気ヘッドを弾性変形しつつ保持する磁気ヘッド保持部と、
外力に応じて弾性変形するサスペンション部と、
前記磁気ヘッド保持部と前記サスペンション部とを連結する連結部と、
前記連結部に形成され、前記連結部に剛性を持たせるリブとを有することを特徴とする請求項１記載の磁気ヘッド装置。
【請求項６】
前記磁気ヘッドを電気的に接続するフレキシブルプリント配線基板と、
前記フレキシブルプリント配線基板の前記磁気ヘッドとの接続部に設けられ、前記磁気ヘッドのコイルの先端を直接半田付けするランド部とを有することを特徴とする請求項１記載の磁気ヘッド装置。
【請求項７】
記録媒体に磁気的に作用する磁気ヘッドと、
前記磁気ヘッドを一端部に保持し、前記記録媒体が配置される方向に付勢力を有する板バネ部と、
前記板バネ部の他端部に連接される接合部と、
前記記録媒体が配置される方向から前記板バネ部の一端部側を支持する支持部を一端部に有し、他端部の下面が上記接合部の上面側に配設される剛体で構成された支持部材と、
前記記録媒体が配置される方向から前記支持部材に当接し、前記支持部材を前記記録媒体から離間する方向に操作する操作レバーと
を有する磁気ヘッド装置を備えることを特徴とする記録装置。
【発明の詳細な説明】
【０００１】
【発明が属する技術分野】
本発明は磁気ヘッド装置及びそれを用いた記録装置に係り、特に、磁気ヘッドを記録媒体に支持アームを介して接触させる磁気ヘッド装置及びそれを用いた記録装置に関する。
【０００２】
【従来の技術】
記録／再生可能なディスク装置として光磁気ディスク装置が注目されている。光磁気ディスク装置は、磁性体薄膜が形成されたディスクを用いレーザ光により高密度に情報の記録を可能にしている。
【０００３】
光磁気ディスク装置は、情報の記録時には光磁気ディスク（以下、単にディスク）の一方の面から磁性体薄膜をキュリー点又は温度補償点以上に加熱可能な強度のレーザ光を照射し、ディスクの他方の面のレーザ光に対向する部分に垂直磁界を印加し、磁性体薄膜の磁化の方向を反転させることにより２値の情報の記録を行う。また、情報の再生時にはディスクに磁性体薄膜の磁化の方向に影響を与えない強度のレーザ光を照射し、ディスクからの反射光を検出することにより情報の再生を行う。情報の再生は、磁性体薄膜が磁化の方向に応じて光学的特性を変化されることにより反射光の光量が磁性体薄膜の磁化の方向に応じて変化することを利用して記録された２値の情報を再生する。
【０００４】
このような、光磁気ディスク装置では、小型化、薄型化が求められている。
図７に従来の光磁気ディスク装置に搭載される磁気ヘッド装置の構成図を示す。図７（Ａ）は平面図、（Ｂ）は正面図を示す。
従来の磁気ヘッド装置２１は、ディスクに記録磁界を印加する磁気ヘッド２２、磁気ヘッド２２を保持する支持アーム２３、支持アーム２３を保持し、磁気ヘッド２２を昇降させる操作部２４、磁気ヘッド２２を外部回路と電気的に接続するためのフレキシブルプリント配線板２５から構成されている。
【０００５】
磁気ヘッド２２はディスクに摺接するスライダの内部に略Ｅ字状のコア及びコイルが巻回され、コイルをコアに係合させるコイルボビンを搭載した構成とされている。
支持アーム２３は、板バネ材より構成されており、先端には磁気ヘッド２２を保持するための支持部２３ａが形成され、他端は操作部２４に溶接等の手法を用いて取り付けられ、磁気ヘッド２２をディスクに接触させる構成とされている。操作部２４は、剛体よりなり、一端に支持アーム２３が取り付けられ、図７中矢印Ａ方向に移動可能に構成された磁気ヘッド装置取り付け部にネジなどにより固定される。また、操作部２４の先端には、磁気ヘッドのディスクとは反対の方向（図７中矢印Ｂ1 方向）への移動を規制する規制部２４ａが一体に形成されている。
【０００６】
規制部２４ａは、磁気ヘッド２２の装着位置まで延在されており、衝撃等が加わった時に磁気ヘッド２２の上面と当接して磁気ヘッド２２が操作部２４より上方（図７中矢印Ｂ1 方向）へは跳ね上がらないように磁気ヘッド２２の位置を規制する。
【０００７】
図８に従来の装置の一例の動作説明図を示す。図８（Ａ）はディスクの保護膜上に摺接する状態であるヘッドダウン状態、図８（Ｂ）はディスクの装置へのローディング又はアンローディングの際の状態であるヘッドアップ状態を示す。
ヘッドダウン状態では、装置に設けられた磁気ヘッド２２を昇降駆動する操作レバー２６が下降することによって、操作部２４が図８（Ａ）中矢印Ｂ2 方向に移動して磁気ヘッド２２がディスクＤに支持アーム２３の弾性変形力で接触される。
【０００８】
ヘッドアップ状態では、操作レバー２６が上昇することによって、操作部２４が図８（Ｂ）中矢印Ｂ1 方向に移動され、磁気ヘッド２２がディスクＤから離間する。ヘッドアップ状態では、支持アーム２３は弾性変形しない中立の状態とされるため、衝撃などにより磁気ヘッド２２が上下に振動する。このとき、磁気ヘッド装置２１を搭載した装置を薄型化するため、磁気ヘッド装置２１の上方の空間を必要最小限に制限している。
【０００９】
このため、磁気ヘッド２２が振動したときに一定の高さ以上にならないように磁気ヘッド２２の上部の規制すべき位置に設けられた規制部２４ａに磁気ヘッド２２を当接させることにより、磁気ヘッド２２の跳ね上がりを規制している。
このため、従来のこのような磁気ヘッド装置２１を搭載した装置では、ヘッドアップ状態でディスクＤの表面から規制部２４ａの先端部までの高さＬ0 に磁気ヘッド２２のフレキシブルプリント配線板２５との電気的接続を行うための端子部Ｔの規制部２４ａ上部への突出分を考慮した高さＬ1 より上に他の部材が配置されるように設計がなされていた。
【００１０】
【発明が解決しようとする課題】
しかるに、従来の磁気ヘッド装置は、操作部の先端に規制部が設けられており、この規制部は磁気ヘッドを操作部より上方に跳ね上げないように磁気ヘッド上面を規制するもので、操作部の先端から磁気ヘッドの上方まで延在していたため、操作部の上方は規制部により規定されてしまい、薄型化が阻害されていた。
【００１１】
本発明は上記の点に鑑みてなされたもので、磁気ヘッドのはね上がりを防止すると共に薄型化を図った磁気ヘッド装置及びそれを用いた記録装置を提供することを目的とする。
【００１２】
【課題を解決するための手段】
本発明に係る磁気ヘッド装置は、記録媒体に磁気的に作用する磁気ヘッドと、磁気ヘッドを一端部に保持し、記録媒体が配置される方向に付勢力を有する板バネ部と、板バネ部の他端部に連接される接合部と、記録媒体が配置される方向から前記板バネ部の一端部側を支持する支持部を一端部に有し、他端部の下面が上記接合部の上面側に配設される剛体で構成された支持部材と、記録媒体が配置される方向から支持部材に当接し、支持部材を記録媒体から離間する方向に操作する操作レバーとを有する。
【００１３】
本発明によれば、板バネ部の上方に部材を配置することなく板バネ部の振動を抑制できるため、板バネ部の上方空間を必要最小限に設定でき、薄型化が可能となり、また、磁気ヘッドを記録媒体から離間させるときには、支持部材により支持されるため、板バネ部が弾性により下がって記録媒体と十分な距離がとれなくなるようなことがなく、磁気ヘッドと記録媒体との間隔を必要最小限に設定でき、また、記録媒体が配置される方向から板バネ部を支持する支持部を一端部に有する支持部材を、他端部の下面が接合部の上面側に配設することにより、板バネ部を支持部材により支持するときに支持部材が板バネ部によって、記録媒体が配置される方向に付勢された場合、支持部材と結合部との接合強度を高く維持することができる。
また、請求項２は、記録媒体が配置される方向から前記支持部材に当接し、前記支持部材を前記記録媒体から離間する方向に操作する操作レバーを有することを特徴とする。
【００１４】
従って、板バネ部の上方に部材を配置することなく板バネ部の振動を抑制できるため、板バネ部の上方空間を必要最小限に設定でき、薄型化が可能となる。
また、磁気ヘッドを記録媒体から離間させるときには、支持部材により支持されるため、板バネ部が弾性により下がってディスクと十分な距離がとれなくなるようなことがなく、磁気ヘッドと記録媒体との距離を必要最小限の距離を設定できる。
【００１５】
請求項３は、前記支持部材は、前記磁気ヘッドが前記記録媒体に対して磁気的に作用する位置にあるときには前記前記板バネ部の支持が解除される位置に形成されたことを特徴とする。
請求項３によれば、支持部材を磁気ヘッドが記録媒体に対して磁気的に作用する位置、すなわちヘッドダウンした位置にあるときには前記前記板バネ部の支持が解除される位置に形成することにより、板バネ部の付勢力により磁気ヘッドを記録媒体に接触させることができるため、板バネ部の弾性力によりサスペンション効果を得ることができ、板バネ部の弾性力を利用して板バネ部の振動防止及び磁気ヘッドを記録媒体に押しつけることができる。
【００１６】
従って、板バネ部の振動を防止するために板バネ部の上方に規制部材などを設置する必要がないため、板バネ部上方の空間を必要最小限にでき、薄型化が可能となる。
請求項４は、前記磁気ヘッドを電気的に接続する配線と、
前記板バネ部に設けられ、前記配線を前記記録媒体方向にたわませる配線保持部とを有することを特徴とする。
【００１７】
請求項４によれば、配線保持部に配線を保持することにより配線を記録媒体方向にたわませることができるため、板バネ部が弾性変形したときに配線は必ず空間に余裕のある記録媒体方向にたわむので、配線が記録媒体とは反対側の面に突出することがなく、従って、板バネ部上方に不要の空間を設ける必要がなくなり、その分、薄型化が可能となる。
【００１８】
請求項５は、前記磁気ヘッドは、先端に設けられ、前記板バネ部に固定する固定部と、
他端に設けられ、前記板バネ部と係合して、前記記録媒体方向への移動を規制する係合部とを有することを特徴とする。
【００１９】
請求項５によれば、磁気ヘッドは係合部により記録媒体方向への移動が規制されるため、ヘッドアップ時に磁気ヘッドが必要以上に傾斜することがなく、従って、記録媒体方向に誤差を見込んだ余裕を持たせる必要がなく、薄型化が可能となる。
【００２０】
請求項６は、前記板バネ部は、前記磁気ヘッドを弾性変形しつつ保持する磁気ヘッド保持部と、
外力に応じて弾性変形するサスペンション部と、
前記磁気ヘッド保持部と前記サスペンション部と連結する連結部と、
前記連結部に形成され、前記連結部に剛性を持たせるリブとを有することを特徴とする。
【００２１】
請求項６によれば、磁気ヘッド保持部とサスペンション部と連結する連結部にリブを形成して連結部に剛性を持たせることにより、連結部を厚くすることなく連結部に剛性を持たせることができるため、連結部の変形を考慮して空間を設定する必要がなくなり、従って、薄型化が可能となる。
【００２２】
請求項７は、前記磁気ヘッドを電気的に接続するフレキシブルプリント配線板と、
前記フレキシブルプリント配線板の前記磁気ヘッドとの接続部に設けられ、前記磁気ヘッドのコイルの先端を直接半田付けするランド部とを有することを特徴とする。
【００２３】
請求項７によれば、フレキシブルプリント配線板とコイル先端との接続をフレキシブルプリント配線板のランドに直接半田付けする構成とすることにより、ピンなどが磁気ヘッド上方に突出することがなくなるため、薄型化が可能となる。また、フレキシブルプリント配線板をピンなどに係合させる必要がないため、磁気ヘッドとフレキシブルプリント配線板との位置決め精度を高精度に保持する必要がなくなる。
【００２４】
【発明の実施の形態】
図１に本発明の磁気ヘッド装置の一実施例の構成図を示す。図１（Ａ）は上面図、（Ｂ）は正面図を示す。
本実施例の磁気ヘッド装置１は、光磁気ディスク装置において光ピックアップに光磁気ディスクを介して対向して設けられ、光磁気ディスクに記録信号に応じた垂直磁界を印加するための装置で、請求項の磁気ヘッドに相当し、ディスクに記録のための垂直磁界を供給する磁気ヘッド２、請求項の板バネ部に相当し、磁気ヘッドを支持する支持アーム３、請求項の保持部材に相当し、支持アーム３を保持する取付板４、磁気ヘッド２を外部回路と電気的に接続するフレキシブルプリント配線板５より構成される。
【００２５】
磁気ヘッド２は板バネ材よりなる支持アーム３に支持されており、支持アーム３が弾性変形した状態でディスクに押圧され、接触し、ディスクに磁界を印加する。支持アーム３は取付板４に保持される。取付板４は操作レバー等により磁気ヘッド２をディスクの保護膜面に接触させた状態のヘッドダウン状態及び磁気ヘッド２をディスクの保護膜面から離間させた状態のヘッドアップ状態に操作される。支持アーム３はヘッドアップ状態では取付板４に弾性変形された状態で、係合しており、衝撃、振動などにより弾性変形しない。
【００２６】
また、支持アーム３はヘッドダウン状態では取付板４との係合が解除され、支持アーム３の弾性変形力によって磁気ヘッド２をディスクに接触させる。フレキシブルプリント配線板５は一端が磁気ヘッド２と接続され、支持アーム３上を通過して、取付板４上に導かれた後、外部に導出され、磁気ヘッド２と外部回路との接続を行う。
【００２７】
図２に本発明の一実施例の磁気ヘッドの構成図を示す。図２（Ａ）は上面図、（Ｂ）は断面図、（Ｃ）は側面図を示す。
磁気ヘッド２は、ディスクと摺接するスライダ６、ディスクに磁界を印加するコア７、記録信号に応じた磁界を発生するコイル８、コイル８が巻回されるコイルボビン９より構成される。
【００２８】
スライダ６は、コア７及びコイルボビン９を装着する装着部６ａ、ディスクとの接触を安定に行うためのスライド部６ｂ、スライド部６ｂ上面に形成され、支持アーム３に取り付けるための取り付け用突起部６ｃ、支持アーム３と係合して支持アーム３との取り付けを安定に行うための凸部６ｄ、６ｅ、コア７を保持するための係合部６ｆ、６ｆが樹脂材料により一体成形されている。装着部６ａには、コイル８が巻回されたコイルボビン９及びコア７が装着される。装着部６ａの底面には貫通孔６ｈが形成されており、装着部６ａにコイルボビン９及びコア７を装着したときにコア７が係合する。
【００２９】
コア７は、略Ｅ字状に形成された焼成フェライト等の磁性体よりなり、梁部７ａの中央から突出した磁極部７ｂがコイルボビン９を貫通し、貫通孔６ｈに係合され、ディスクに磁界を印加する磁極として作用する。
コイルボビン９は、上下端に鍔部９ａ、９ｂを有する筒状体よりなり、外周の鍔部９ａ、９ｂの間に導電性線材が巻回されコイル８を形成する。上部鍔部９ａにはコイル８の端部をガイドするためのガイド溝９ｃ、９ｄが形成されている。コイル端部はガイド溝９ｃ、９ｄに挿入され、ガイド溝９ｃ、９ｄの角部で折曲されることによりコイル端部をコイルボビン９に引っかけ、コイルボビン９に保持している。
【００３０】
また、コイルボビン９の中央に形成された穴部９ｅにはコア７の磁極部７ａが貫通される。コイルボビン９によりコア７の磁極部７ｂの周囲にコイル８が巻回され、コイル８により発生された磁界が磁極部７ｂからディスクに印加される。また、コイル８の接続はフレキシブルプリント配線板５のランド部５ｃ、５ｄにコイルボビン９のガイド溝９ｃ、９ｄにガイドされ、コイルボビン９に保持されたコイル８の端部を直接半田付けすることにより行われるため、スライダ６の上面への突出を少なくできる。
【００３１】
また、磁気ヘッド２は後述するようにスライダ６の突起部６ｃが支持アーム３と係合して保持される。
図３に本発明の一実施例の支持アームの構成図を示す。図３（Ａ）は平面図、（Ｂ）は正面図を示す。
【００３２】
支持アーム３は、磁気ヘッド２を保持するための磁気ヘッド保持部３ａ、磁気ヘッド保持部３ａに連続して設けられ、磁気ヘッド２を先端に延長させる連結部３ｂ、連結部３ｂに連続して設けられ、連結部３ｂを弾性的に保持するサスペンション部３ｃ、取付板４に接合される接合部３ｄが板バネ材により一体的に形成された構成とされている。
【００３３】
また、上記磁気ヘッド保持部３ａは、磁気ヘッド２を配設する開口部３ｅ、磁気ヘッド２が係合される係合部３ｆより構成されている。磁気ヘッド保持部３ａは、開口部３ｅが形成され、周囲の板バネ部材の幅が狭く設定されており、支持アーム３の連結部３ｂに比べて図３（Ｂ）中矢印Ｃ方向にたわみやすくされている。このため、ヘッドダウン状態では、ディスクに表面形状に追従して、たわみ、磁気ヘッド２を図３（Ｂ）中矢印Ｃ方向に上下させ、磁気ヘッド２を常にディスクに摺接させる。
【００３４】
係合部３ｆには係合穴３ｇが形成されている。この係合穴３ｇにスライダ６に形成された突起部６ｃが挿入され、磁気ヘッド２が支持アーム３に保持される。磁気ヘッド２を磁気ヘッド保持部３ａに保持するときには、まず、凸部６ｄ、６ｅを開口部３ｅの周縁部３ｈの支持アーム３のディスクとの対向面とは反対側の面、すなわち、上面側に配置された状態で、突起部６ｃを係合穴３ｇにディスクとの対向面側、すなわち、下面側から挿入する。次に、係合穴３ｇの上面側に突出した突起部６ｃの上端を加熱し、圧潰することにより磁気ヘッド２が支持アーム３に保持される。
【００３５】
係合部３ｆは、連結部３ｉを介して周縁部３ｈに連結されている。連結部３ｉは、略ロ字状に開口されていて、開口周囲の板バネ部材の幅が狭く形成される。このため、係合部３ｆを図３（Ｂ）中矢印Ｄ方向にたわませる。連結部３ｉにより係合部３ｆが図３（Ｂ）中矢印Ｄ方向にたわみ磁気ヘッド２をディスクの凹凸に追従させ、常にディスクに摺接させる。
【００３６】
また、磁気ヘッド保持部３ａでは、周縁部３ｈが先端部Ｓ１で略１７．５゜矢印Ｃ1 方向に折曲されており、磁気ヘッド２のディスクとの摺接面がディスクに対して浅い角度で摺接される。また、磁気ヘッド保持部３ａは連結部３ｂに対して略１７．５゜矢印Ｃ2 方向に折曲されている。
【００３７】
連結部３ｂは、サスペンション部３ｃに略１３．５゜矢印Ｃ2 方向に折曲され、磁気ヘッド保持部３ａとサスペンション部３ｃとを連結する部分で、表面にリブ３ｊが形成され、剛性が確保されている。リブ３ｊは、上面側に突出して、両側端部と中央部にフレキシブルプリント配線板５の経路を確保しつつ形成されている。このため、リブ３ｊがフレキシブルプリント配線板５より上方に突出することがない。このリブ３ｊにより磁気ヘッド保持部３ａとサスペンション部３ｃとの間に剛性を持たせることができ、従って、連結部３ｂが衝撃、振動でたわむことがなくなり、その分の空間を排除できるため、薄型化が可能となる。
【００３８】
サスペンション部３ｃは、連結部３ｂに連続して接合部３ｄに対して略１３．５゜矢印Ｃ2 方向に折曲され形成されている。サスペンション部３ｃは、中央部分に開口部３ｋを有し、板バネ材の幅が狭く構成されている。このため、サスペンション部３ｃは図３（Ａ）中矢印Ｃ方向にたわみ、振動などを吸収する。また、開口部３ｋには突出部３ｌが形成されており、突出部３ｌにはフレキシブルプリント配線板５が下面側を通過するように係合し、サスペンション部３ｃが図３（Ａ）中矢印Ｃ1 方向にたわんだときにフレキシブルプリント配線板５が上面側（図３（Ｂ）中の矢印Ｃ1 方向）に突出しない構成とされている。
【００３９】
接合部３ｄは、サスペンション部３ｃに連続して形成されており、取付板４に溶接等の手法を用いて取付板４と一体となるように取り付けられている。接合部３ｄには、磁気ヘッド装置１を磁気ヘッド装置取付部にネジ止めするために穴部３ｍが形成されている。この穴部３ｍにネジを貫通させて磁気ヘッド装置１を取り付ける磁気ヘッド装置取付部に螺入することにより磁気ヘッド装置１が磁気ヘッド装置取付部固定される。
【００４０】
図４に本発明の一実施例の取付板の構成図を示す。図４（Ａ）は平面図、（Ｂ）は正面図、（Ｃ）は側面図を示す。
取付板４は、支持アーム３を保持するとともに、磁気ヘッド装置１を磁気ヘッド取り付け部に固定する固定部４ａと請求項の支持部に相当し、支持アーム３をディスク方向（図４（Ｂ）中矢印Ｅ方向）に付勢した状態で支持する支持部４ｂより構成される。固定部４ａには、支持アーム３の接合部３ｄに形成された穴部３ｍに対応してネジ止めするための穴部４ｃが形成されおり、支持アーム３と接合した際にネジが貫通する穴部が形成されている。
【００４１】
取付板４はネジ（図示せず）を穴部４ｃを貫通させて、磁気ヘッド装置１が取り付けられる取付部（図示せず）に螺入することにより、固定される。
支持部４ｂは、略Ｌ字状をなし、固定部４ａの側部から延出して支持アーム３の連結部３ｂの磁気ヘッド保持部３ａとの接続部分付近で固定部４ａに対して、略１７°より小さい角度θ1 で支持アーム３の方向、図４（Ｂ）の矢印Ｅ1 方向に折曲されている。また、支持部４ｂの先端はさらに図４（Ｂ）の矢印Ｅ1 方向にわずかに折曲されている。
【００４２】
支持アーム３と取付板４とを接合する場合には、支持アーム３の接合部３ｄの上面を取付板４の固定部４ａの下面側に配設し、支持アーム３のサスペンション部３ｃを図４（Ｂ）中の矢印Ｅ2 方向に弾性変形させ、支持アーム３に付勢力が働くようにして支持アーム３の連結部３ｂの下面を取付板４の支持部４ｂの上面側に配設した状態で支持アーム３の接合部３ｄと取付板４の固定部４ａとを溶接等の手法を用いて接合する。
【００４３】
フレキシブルプリント配線板５は、磁気ヘッド２に記録情報に応じた信号を供給するための配線で、一端に磁気ヘッド２との接続を行うための磁気ヘッド接続部５ａが形成され、他端に回路との接続を行うための回路接続部５ｂが形成されている。磁気ヘッド２と磁気ヘッド接続部５ａとの接続は、磁気ヘッド２のコイル８の端部を半田付けすることにより行われる。
【００４４】
図５に本発明の一実施例の磁気ヘッドとフレキシブルプリント配線板との接続部の斜視図を示す。図５（Ａ）は半田付け前の状態、（Ｂ）は半田付け後の状態を示す。
磁気ヘッド２とフレキシブルプリント配線板５との接続は、まず、図５（Ａ）に示すようにフレキシブルプリント配線板５の磁気ヘッド接続部５ａを磁気ヘッド２の上面に配置し、磁気ヘッド２のガイド溝９ｃ、９ｄから延出されたコイル８の端部をフレキシブル配線板５の磁気ヘッド接続部５ａに形成されたランド部５ｄ、５ｅの上を通過させる。次に、図５（Ｂ）に示すようにコイル８の端部とランド部と５ｄ、５ｅとを半田付けし、コイル８端部の余った部分を切断する。
【００４５】
このとき、上記の接続方法によれば、磁気ヘッド２とフレキシブルプリント配線板５とはコイル８の端部の線材によって結合されるため、磁気ヘッド２とフレキシブルプリント配線板５の磁気ヘッド接続部５ａとの位置がずれても、コイル８の端部を磁気ヘッド接続部５ａのランド部５ｄ、５ｅ上に配線すれば良いため、フレキシブルプリント配線板５の位置決め精度を広く取れ、製品の生産性を向上させることができる。
【００４６】
磁気ヘッド２は、コイルボビン９とスライダ６とが遊びを持った状態で係合されており、上記接続方法によってコイルボビン９をスライダ６内に偏芯することなく保持できる。
また、磁気ヘッド２の上面はフレキシブルプリント配線板５とコイル８端部との半田付けの分だけ突出するだけで、最小限の突出量に抑制できる。
【００４７】
磁気ヘッド２に接続されたフレキシブルプリント配線板５は、支持アーム３の磁気ヘッド保持部３ａの略中央部を通って、連結部３ｂに配線される。連結部３ｂではリブ３ｊの間を通過して配線され、途中でわずかに外側に折曲され、サスペンション部３ｃに配線される。
【００４８】
サスペンション部３ｃでは、開口部３ｋの側縁部に沿って配線され、開口部３ｋに突出して形成された突出部３ｌの下面側を配線されて接合部３ｄに配線される。フレキシブルプリント配線板５はサスペンション部３ｃでは、開口部３ｋで突出部３ｌの下面側を配線されるため、サスペンション部３ｃが変形し、フレキシブルプリント配線板５が上方に変形した場合でも、フレキシブルプリント配線板５は突出部３ｌにより上方への変形が規制され、フレキシブルプリント配線板５がサスペンション部３ｃの上面よりも上方に突出することがない。このため、磁気ヘッド装置１の上方にフレキシブルプリント配線板５の変形による突出を考慮した空間を設ける必要がなくなる。従って、装置の薄型化に寄与する。
【００４９】
フレキシブルプリント配線板５は、サスペンション部３ｃを通過した後、取付板４の固定部４ａを配線される。取付板４では、両面テープなどにより接着される。また、支持アーム３の接合部３ｄに形成された穴部３ｍ及び取付板４の穴部４ｃに対応した位置に固定用穴部５ｃが形成されており、支持アーム３、取付板４とともに磁気ヘッド装置取付部にネジ止めされる。
【００５０】
フレキシブルプリント配線板５は、取付板４上から先では所定の配線形状に折り曲げられ先端に回路との接続を行う回路接続部５ｂが形成されている。
図６に本発明の一実施例の動作説明図を示す。図６（Ａ）はディスクの装置へのローディング又はアンローディングの際の状態であるヘッドアップ状態、図６（Ｂ）はディスクの保護膜上に摺接する状態であるヘッドダウン状態を示す。
【００５１】
図６で、Ｄはディスクを示し、１０はヘッドの昇降を制御する操作レバー、１１は磁気ヘッド装置取り付け部を示す。
図６（Ａ）に示すヘッドアップ状態では、操作レバー１０により取付板４が磁気ヘッド２がディスクＤの保護膜面より離間する方向である上方に持ち上げられた状態であり、このとき、支持アーム３は、図６（Ａ）中矢印Ａ1 方向に弾性変形された状態で、取付板４の支持部４ｂに係合して支持されている。
【００５２】
すなわち、支持アーム３は、取付板４の支持部４ｂにサスペンション部３ｃが弾性変形されることにより発生する付勢力で押圧されている。この状態で、衝撃や振動が加えられても、支持アーム３は、取付板４の支持部４ｂに押圧された状態であるため、図６（Ａ）中矢印Ａ1 方向に容易に跳ね上げられることはない。
【００５３】
また、このとき、支持アーム３は下面側から剛体である取付板４の支持部４ｂにより支持されるため、支持アーム３の持つバネ性により下方に下降してしまうことがなく、従って、磁気ヘッド２とディスクＤの保護膜面との間隔を正確にとることができる。このため、ヘッドアップ時の磁気ヘッド２とディスクＤ表面との間隔を必要最小限に留めることができるので、ディスクＤの表面から磁気ヘッド装置１の上部に配置される部材までの空間を減少させることができ、上記磁気ヘッド装置１を搭載した装置の薄型化が可能になる。  また、図６（Ｂ）に示すヘッドダウン状態では、操作レバー１０は図６（Ｂ）中矢印Ａ2 方向に下降して取付板４は、磁気ヘッド装置取り付け部１１に働く復元力により下降する。取付板４が下降することにより磁気ヘッド２が下降し、ディスクＤに当接すると支持アーム３は取付板４の支持部４ｂによる支持から磁気ヘッド２とディスクＤの当接による支持とされる。このため、磁気ヘッド２は支持アーム３の弾性変形により発生する付勢力によりディスクＤに押し付けられ、ヘッドダウン状態とされる。
【００５４】
このように本実施例によれば、ヘッドアップ時には、支持アーム３の弾性力により衝撃や振動から磁気ヘッド２の揺れを規制するため、磁気ヘッド２の上方にいかなる部材も配置する必要がなく、したがって、ヘッドアップをした状態で、磁気ヘッド２の上方の空間を必要最小限に設定できるため、磁気ヘッド装置１を組み込んだ装置を薄型化できる。
【００５５】
【発明の効果】
上述の如く、本発明の請求項１によれば、板バネ部の上方に部材を配置することなく板バネ部の振動を抑制できるため、板バネ部の上方空間を必要最小限に設定でき、薄型化が可能となり、また、磁気ヘッドを記録媒体から離間させるときには、支持部材により支持されるため、板バネ部が弾性により下がって記録媒体と十分な距離がとれなくなるようなことがなく、磁気ヘッドと記録媒体との間隔を必要最小限に設定でき、また、記録媒体が配置される方向から板バネ部を支持する支持部を一端部に有する支持部材を、他端部の下面が接合部の上面側に配設することにより、板バネ部を支持部材により支持するときに支持部材が板バネ部によって、記録媒体が配置される方向に付勢された場合、支持部材と結合部との接合強度を高く維持することができる等の特長を有する。
【００５６】
請求項３によれば、板バネ部の弾性力を利用して板バネ部の振動防止及び磁気ヘッドを記録媒体に所定の押圧力で押しつけることができるため、板バネ部の振動を防止するために板バネ部の上方に規制部材などを設置する必要がなく、板バネ部上方の空間を必要最小限にでき、薄型化が可能となる等の特長を有する。
【００５７】
請求項４によれば、配線保持部に配線を保持することにより配線を記録媒体方向にたわませることができるため、板バネ部が弾性変形したときに配線は必ず空間に余裕のある記録媒体方向にたわむので、配線が記録媒体とは反対側の面に突出することがなく、従って、板バネ部上方に不要の空間を設ける必要がなくなり、その分、薄型化が可能となる等の特長を有する。
【００５８】
請求項５によれば、磁気ヘッドは係合部により記録媒体方向への移動が規制されるため、ヘッドアップ時に磁気ヘッドが必要以上に傾斜することがなく、従って、記録媒体方向に誤差を見込んだ余裕を持たせる必要がなく、薄型化が可能となる等の特長を有する。
【００５９】
請求項６によれば、磁気ヘッド保持部とサスペンション部と連結する連結部にリブを形成して連結部に剛性を持たせることにより、連結部を厚くすることなく連結部に剛性を持たせることができるため、連結部の変形を考慮して空間を設定する必要がなくなり、従って、薄型化が可能となる等の特長を有する。
【００６０】
請求項７によれば、フレキシブルプリント配線板とコイル先端との接続をフレキシブルプリント配線板のランドに直接半田付けする構成とすることにより、ピンなどが磁気ヘッド上方に突出することがなくなるため、薄型化が可能となる等の特長を有する。
【図面の簡単な説明】
【図１】本発明の磁気ヘッド装置の一実施例の構成図である。
【図２】本発明の磁気ヘッド装置の一実施例の磁気ヘッドの構成図である。
【図３】本発明の磁気ヘッド装置の一実施例の支持アームの構成図である。
【図４】本発明の磁気ヘッド装置の一実施例の取り付け板の構成図である。
【図５】本発明の磁気ヘッド装置の一実施例の磁気ヘッドとフレキシブルプリント配線板との接続を説明するための図である。
【図６】本発明の磁気ヘッド装置の一実施例の動作説明図である。
【図７】従来の一例の構成図である。
【図８】従来の一例の動作説明図である。
【符号の説明】
１  磁気ヘッド装置
２  磁気ヘッド
３  サスペンション
３ａ  磁気ヘッド保持部
３ｂ  連結部
３ｃ  サスペンション部
３ｄ  接合部
３ｅ  開口部
３ｆ  係合部
３ｇ  係合穴
３ｈ  周縁部
３ｉ  連結部
３ｊ  リブ
３ｋ  開口部
３ｌ  突出部
４  サスペンションアーム
５  フレキシブルプリント配線板
６  スライダ
７  コア
８  コイル
９  コイルボビン
【図１】
0003635752.tif 000002
【図２】
0003635752.tif 000003
【図３】
0003635752.tif 000004
【図４】
0003635752.tif 000005
【図５】
0003635752.tif 000006
【図６】
0003635752.tif 000007
【図７】
0003635752.tif 000008
【図８】
0003635752.tif 000009